(57)【特許請求の範囲】
【請求項１】
光源から出射されてポリゴンミラーによって主走査方向へ偏向されたビーム光を被走査面側へ反射させる前記主走査方向に沿って延びる長板状の平面ミラーと、
前記被走査面における前記ビーム光による走査線の湾曲を補正する補正機構と、を備え、
前記補正機構は、
前記ポリゴンミラーによるビーム光の走査領域外に設けられ、前記平面ミラーの反射面側で前記平面ミラーの長手方向の中央部を支持する第１支持部と、
前記ポリゴンミラーによるビーム光の走査領域外に設けられ、前記中央部と前記平面ミラーの長手方向の端部との間に定められた被支持部を支持する第２支持部と、
前記平面ミラーの裏面側において、前記第１支持部と前記第２支持部との間に定められた第１押圧点、前記第２支持部から前記平面ミラーの長手方向の端部に至る部位に定められた第２押圧点、及び前記平面ミラーの裏面の長手方向の中央点のそれぞれで前記平面ミラーを押圧可能であり且つこの押圧力を調整可能な調整部と、
前記平面ミラーが押圧されることによって予め定められた設定値を超える力を受けたときに前記第１支持部による前記平面ミラーの支持を解除する解除部と、を具備する光走査装置。
【請求項２】
前記第１押圧点は、前記第１支持部と前記第２支持部との中間点であり、前記第２押圧点は、前記平面ミラーの長手方向の端部である請求項１に記載の光走査装置。
【請求項３】
前記ポリゴンミラー及び前記補正機構を収容するケースを更に備え、
前記調整部は、前記平面ミラーの裏面に対向する前記ケースの壁面に貫通されたねじ穴に螺着されたビスを有し、前記ケース外に露出された前記ビスの頂部が一方向へ回転されることにより前記ビスが前記平面ミラーを押圧可能に構成されている請求項１又は２に記載の光走査装置。
【請求項４】
請求項１から３のいずれかに記載の光走査装置を備えた画像形成装置。
【発明の詳細な説明】
【技術分野】
【０００１】
本発明は、感光体などの被走査面にビーム光を走査させる光走査装置に関し、特に、被走査面へ向けてビーム光を反射させる平面ミラーを調整することによって被走査面における走査線の湾曲を補正することが可能な光走査装置及びこれを備えた画像形成装置に関する。
【背景技術】
【０００２】
電子写真方式の画像形成装置には、感光体に光を照射して感光体を露光させる光走査装置が備えられている。この光走査装置は、ビーム光などの光源、光源からの光を反射させるポリゴンミラー、ポリゴンミラーを回転させるモーター、ポリゴンミラーからの光を感光体に結像するｆθレンズ、及びｆθレンズを通った光を感光体へ反射させる平面ミラーを備えている。感光体へ向けて平面ミラーから反射されたビーム光は、ポリゴンミラーの回転に応じて主走査方向へ走査される。
【０００３】
複数の感光体が転写ベルトの搬送方向に沿って配列されたタンデム方式のカラー画像形成装置では、それぞれの感光体へ向けて各色に対応したビーム光が各々の光走査装置から照射される。このようなカラー画像形成装置においては、転写ベルト上に複数のトナー像が重ねられてカラー画像が形成される。そのため、それぞれの感光体の表面を走査されるそれぞれの走査線は、全てのライン形状が正確に揃えられる必要があり、仮に不揃いになっている場合は、転写ベルト上のトナー像に色ずれが生じることになる。
【０００４】
前記走査線のライン形状が不揃いとなる要因の一つとして、ポリゴンミラーに入射する光源からのビーム光の光軸のずれが挙げられる。ビーム光がポリゴンミラーの反射面に対して垂直に入射せずにわずかな角度だけずれて入射すると、主走査方向にわたって感光体までの光到達距離が変化し、これにより、感光体の表面において、放物線形状の走査線が描かれる。このため、いずれかの光走査装置に光軸のずれが生じた場合は、各走査線のライン形状が不揃いとなる。
【０００５】
感光体の表面における走査線の形状を放物線形状から概ね直線形状に補正する手法として、特許文献１乃至特許文献３に記載の調整機構が公知である。この種の調整機構は、図８に示されるように、主走査方向に長い平板形状の平面ミラー１０１（反射鏡、折り返しミラーとも称されている。）を２点支持する支持部材１０３が設けられており、平面ミラー１０１においてこれらの支持点以外の部分を押圧することにより、放物線形状の走査線の変化方向とは逆方向へ平面ミラー１０１を機械的に湾曲させている。例えば、平面ミラー１０１をすり鉢状に湾曲させる場合は平面ミラー１０１の両端の裏面を押圧し（図８（Ａ）参照）、平面ミラー１０１を山なりの凸状に湾曲させる場合は平面ミラー１０１の両端の裏面を引っ張りつつ中央を押圧する（図８（Ｂ）参照）。これにより、走査線の曲がりの変化分が相殺されて、走査線のライン形状が放物線形状から概ね直線形状に補正される。
【先行技術文献】
【特許文献】
【０００６】
【特許文献１】特開２００１−１１７０４０号公報
【特許文献２】特開平８−１４６３２５号公報
【特許文献３】特開２００６−６５３１０号公報
【発明の概要】
【発明が解決しようとする課題】
【０００７】
ところで、前記走査線のライン形状が不揃いとなる要因はビーム光の入射角のずれだけではなく様々な要因がある。例えば、加工精度や成形後の環境変化などに起因して生じるポリゴンミラー及び平面ミラーの反射面の微小な凹凸や反り、歪みもその一因である。また、ビーム光が透過する各種レンズにおけるレンズ面の反りや歪み、或いは屈折率の内部分布の微小な違いなどもその一因である。これらの他の要因による色ずれは微小なものであるが、写真印刷などの高画質印刷が画像形成装置に求められるようになった昨今においては、このような微小な色ずれも無視できない。前記他の要因は、前記走査線のライン形状を放物線形状のような単純な二次曲線に湾曲させるものではなく、主走査方向へ複数の山或いは谷を有する曲線（以下「多起伏曲線」という。）、例えば、欧文字Ｍの字形状に沿って緩やかに起伏するＭ字曲線や、欧文字Ｗの字形状に沿って緩やかに起伏するＷ字曲線、欧文字Ｎの字形状に沿って緩やかに起伏するＮ字曲線のように湾曲させる。しかしながら、上述した従来の調整機構は、図８（Ｃ）に示されるように、平面ミラー１０１の両端の裏面を押圧しつつ中央を押圧して、平面ミラー１０１をＷ字の形状に沿って湾曲させることにより、Ｍ字曲線の走査線の曲がりの変化分を相殺することは可能であるが、それ以外の多起伏曲線の曲がりを補正することはできない。
【０００８】
そこで、本発明は前記事情に鑑みてなされたものであり、その目的は、起伏の多い湾曲状の走査線の曲がりを補正することが可能な光走査装置及びこれを備えた画像形成装置を提供することにある。
【課題を解決するための手段】
【０００９】
(1)  本発明は、光源から出射されてポリゴンミラーによって主走査方向へ偏向されたビーム光を被走査面側へ反射させる前記主走査方向に沿って延びる長板状の平面ミラーと、前記被走査面における前記ビーム光による走査線の湾曲を補正する補正機構と、を備える光走査装置である。前記補正機構は、前記ポリゴンミラーによるビーム光の走査領域外に設けられ、前記平面ミラーの反射面側で前記平面ミラーの長手方向の中央部を支持する第１支持部と、前記ポリゴンミラーによるビーム光の走査領域外に設けられ、前記中央部と前記平面ミラーの長手方向の端部との間に定められた被支持部を支持する第２支持部と、前記平面ミラーの裏面側において、前記第１支持部と前記第２支持部との間に定められた第１押圧点、前記第２支持部から前記平面ミラーの長手方向の端部に至る部位に定められた第２押圧点、及び前記平面ミラーの裏面の長手方向の中央点のそれぞれで前記平面ミラーを押圧可能であり且つこの押圧力を調整可能な調整部と、を具備する。
【００１０】
これにより、被走査面上における走査線が複数の起伏を含む湾曲形状（多起伏形状）であっても、その多起伏形状の曲がりに応じて平面ミラーを湾曲させることができ、様々なライン形状にも対応して補正することが可能となる。特に、走査線のライン形状がＭ字曲線又はＷ字曲線のいずれの形状であっても、本発明の光走査装置であれば調整部のみで簡単に走査線の曲がりを補正することができる。
【００１１】
(2)  本発明の光走査装置は、前記平面ミラーが押圧されることによって予め定められた設定値を超える力を受けたときに前記第１支持部による前記平面ミラーの支持を解除する解除部を更に備える。
【００１２】
これにより、前記第１支持部を支持点として前記平面ミラーを湾曲させることが可能であり、また、前記第１支持部の支持位置を移動させて前記第１支持部の両側を支持点として前記平面ミラーを湾曲させることも可能となる。
【００１３】
(3)  前記第１押圧点は、前記第１支持部と前記第２支持部との中間点であり、前記第２押圧点は、前記平面ミラーの長手方向の端部である。
【００１４】
これにより、特に前記Ｍ字曲線やＷ字曲線に対応した補正が可能となる。
【００１５】
(4)  本発明の光走査装置は、前記ポリゴンミラー及び前記補正機構を収容するケースを更に備える。前記調整部は、前記平面ミラーの裏面に対向する前記ケースの壁面に貫通されたねじ穴に螺着されたビスを有し、前記ケース外に露出された前記ビスの頂部が一方向へ回転されることにより前記ビスが前記平面ミラーを押圧可能に構成されている。
【００１６】
これにより、部品点数が少なく極めて簡単な構成で前記調整部を具体的に実現することができる。その結果、コンパクトな光走査装置が実現される。
【００１７】
(5)  本発明は、上述のいずれかに記載の光走査装置を備えた画像形成装置であってもよい。このような画像形成装置にも本発明は好ましく適用される。
【発明の効果】
【００１８】
本発明によれば、起伏の多い湾曲状の走査線の曲がりを補正することが可能になる。
【図面の簡単な説明】
【００１９】
【図１】本発明の実施形態に係る光走査装置３０を備えたプリンター１０の概略構成を示す模式断面図である。
【図２】図１の要部IIの部分拡大図であって、本発明の実施形態に係る光走査装置３０の構成が示されている。
【図３】光走査装置３０の光学機器の配置を示す模式図である。
【図４】図２における切断線ＩＶ−ＩＶの断面構造、及び図４（Ａ）における切断線ＩＶＢ−ＩＶＢの断面構造を模式的に示す部分断面図である。
【図５】図４（Ａ）における切断線Ｖ−Ｖの断面構造を模式的に示す部分断面図である。
【図６】偏向ミラー３７Ａを湾曲させる方法を説明するための模式図である。
【図７】本発明の他の実施例の構成を模式的に示す斜視図である。
【図８】従来の走査線湾曲の補正の方法を説明するための模式図である。
【発明を実施するための形態】
【００２０】
以下、適宜図面を参照して本発明の実施形態について説明する。なお、以下に説明される実施形態は本発明を具体化した一例にすぎず、本発明の要旨を変更しない範囲で、本発明の実施形態は適宜変更できる。
【００２１】
［プリンター１０］
まず、図１を参照して、本発明の実施形態に係るプリンター１０（本発明の画像形成装置の一例）の概略構成について説明する。なお、ここで説明しない構成は一般的な電子写真方式の画像形成装置と同じ構成であるため、当該構成に関する説明を省略する。また、プリンター１０は本発明の画像形成装置の一例に過ぎず、例えばファクシミリ装置及び複合機なども本発明の画像形成装置に該当する。
【００２２】
図１に示されるように、プリンター１０は、４つの画像形成ユニット１１、２つの光走査装置３０（本発明の光走査装置の一例）、中間転写ベルト１２、二次転写装置１３、給紙装置１４、定着装置１５、及び排紙部１６を備えている。また、プリンター１０は、ＣＰＵ、ＲＯＭ及びＲＡＭなどを有する制御ユニット（不図示）や、各種の操作入力及び情報表示が行われる操作表示部（不図示）なども備えている。２つの光走査装置３０それぞれは、２つの画像形成ユニット１１それぞれに対応しており、各画像形成ユニット１１の下方に配置されている。
【００２３】
なお、本実施形態では、４つの画像形成ユニット１１に対応する２つの光走査装置３０がプリンター１０に設けられた例について説明するが、例えば、４つの画像形成ユニット１１それぞれに対応するように４つの光走査装置が個別に設けられている構成や、４つの画像形成ユニット１１に対応可能な１つの光走査装置が設けられている構成のプリンター１０にも本発明は適用可能である。
【００２４】
４つの画像形成ユニット１１は、図１の右から順にブラック、イエロー、シアン、マゼンタの４色に対応する一般的な電子写真方式のものである。それぞれの画像形成ユニット１１は、感光体ドラム１１Ａ、帯電装置１１Ｂ、現像装置１１Ｃ、一次転写ローラ１１Ｄ、クリーニング装置１１Ｅを備えている。
【００２５】
プリンター１０では、給紙装置１４から供給される印刷用紙に対して以下の手順で画像が形成される。まず、帯電装置１１Ｂにより感光体ドラム１１Ａが所定の電位に一様に帯電される。次に、光走査装置３０によって感光体ドラム１１Ａの表面（本発明の被走査面に相当）に対して画像データに基づくビーム光が走査され、その表面に静電潜像が形成される。そして、現像装置１１Ｃによって感光体ドラム１１Ａ上の静電潜像がトナー像として現像される。その後、一次転写ローラ１１Ｄによって、図１中の矢印１９に示す方向へ走行される中間転写ベルト１２に、感光体ドラム１１Ａ上のトナー像が転写される。なお、中間転写ベルト１２にトナー像が転写されると、感光体ドラム１１Ａはクリーニング装置１１５によってクリーニングされる。
【００２６】
このようにして各画像形成ユニット１１によって順に中間転写ベルト１２にトナー像が重ねて転写されると、中間転写ベルト１２にカラー像が形成される。そして、中間転写ベルト１２上のカラー像は、二次転写装置１３によって印刷用紙に転写される。その後、定着装置１５によって印刷用紙上のトナー像が溶融定着されると、その印刷用紙が排紙部１６に排出される。
【００２７】
［光走査装置３０］
次に、図２乃至図６を参照して、光走査装置３０について説明する。なお、図３乃至図６では、理解を容易にするために、構成が簡素化された光走査装置３０が示されている。光走査装置３０は、感光体ドラム１１Ａへ向けてビーム光を出射して感光体ドラム１１Ａの表面をビーム光で走査するものである。図２及び図３に示されるように、光走査装置３０は、ビーム光を出射する光源３１（図３参照）、ポリゴンミラー３２、モーター３３、ドライバー基板３４、ｆθレンズ３５Ａ，３５Ｂ、偏向ミラー３７Ａ，３７Ｂ，３７Ｃ、偏向ミラー３７Ａ（本発明の平面ミラーの一例）を湾曲させる調整機構４０（本発明の補正機構の一例）、及びこれらを収容するケース３９（本発明のケースの一例）を備えている。
【００２８】
この光走査装置３０には、１つのポリゴンミラー３２に対して、光源３１、ｆθレンズ３５Ａ，３５Ｂ、及び偏向ミラー３７Ａ，３７Ｂ，３７Ｃがそれぞれ２組設けられている。なお、図３では、一組の光源３１、ｆθレンズ３５Ａ，３５Ｂ、及び偏向ミラー３７Ａ，３７Ｂ，３７Ｃが示されており、他の一組の図示が省略されている。
【００２９】
図２に示されるように、ケース３９は、ケース本体５１と蓋体５２とを有する。ケース本体５１は、上面が開放された底を有する箱状に形成されており、その上面に蓋体５２が覆うように構成されている。ケース本体５１は、その底面に沿って概ね平行な中板５４を有しており、この中板５４によってケース本体５１の内部が中板５４よりも上側の上層室５５と中板５４よりも下側の下層室５６とに隔てられている。本実施形態では、光源３１、モーター３３、ドライバー基板３４、ｆθレンズ３５Ａ，３５Ｂ、及び偏向ミラー３７Ａが上層室５５に設けられている。また、偏向ミラー３７Ｂ，３７Ｃが下層室５６に設けられている。
【００３０】
ポリゴンミラー３２は、アルミニウム製であって、光源３１からのビーム光を反射させる６つの反射面を有する回転多面境である。ポリゴンミラー３２は、平面視で正六角形状に形成されている。ポリゴンミラー３２の下方にモーター３３が設けられている。つまり、ポリゴンミラー３２は、モーター３３の鉛直上方に設けられている。モーター３３の出力軸にポリゴンミラー３２が連結されている。これにより、モーター３３がドライバー基板３４によって回転駆動されると、ポリゴンミラー３２が出力軸を回転中心軸として回転される。
【００３１】
図３に示されるように、偏向ミラー３７Ａは、ビーム光がポリゴンミラー３２によって走査される主走査方向に沿って延びる長板状に形成されている。偏向ミラー３７Ａは、ｆθレンズ３５Ｂよりもビーム光の進行方向下流側であって、偏向ミラー３７Ｂよりも進行方向上流側に配置されている。偏向ミラー３７Ａは、上層室５５においてケース３９の上側の片隅の近傍に配置されており、中板５４に支持されている。なお、偏向ミラー３７Ａの支持構造については後述する。
【００３２】
図２に示されるように、モーター３３によってポリゴンミラー３２が回転されると、光源３１（図３参照）からポリゴンミラー３２へ向けて出射されたビーム光は、ポリゴンミラー３２によって反射されて、光路４３（図２の矢印付き波線参照）を通って感光体ドラム１１Ａの表面へ導かれる。詳細には、光源３１から水平方向へ出射されたビーム光は、ポリゴンミラー３２の回転によって随時反射角度が変化される反射面で反射されることにより、水平方向に走査される。そして、そのビーム光は、ｆθレンズ３５Ａ及びｆθレンズ３５Ｂを経て偏向ミラー３７Ａに到達する。偏向ミラー３７に到達したビーム光は下方へ反射されて、中板５４に嵌め込まれた透明板５８を透過して偏向ミラー３７Ｂへ進み、更に、偏向ミラー３７Ｂ及び偏向ミラー３７Ｃで順次反射されて、感光体ドラム１１Ａの表面へ向かうように偏向される。偏向ミラー３７Ｃで反射されたビーム光は、中板５４に嵌め込まれた透明板５９及び蓋体５２に嵌め込まれた透明板６０を透過して感光体ドラム１１Ａに到達し、感光体ドラム１１Ａの表面で主走査方向（感光体ドラム１１Ａの長手方向）へ走査される。
【００３３】
（調整機構４０）
上述したように、光走査装置３０には調整機構４０が設けられている。調整機構４０は、感光体ドラム１１Ａの表面におけるビーム光による走査線の湾曲を補正するものであり、図４に示されるように、偏向ミラー３７Ａを支持するための１つの中央支持部６３及び２つのサイド支持部６４と、偏向ミラー３７Ａを湾曲されるための５つのセットビス６５（６５Ａ，６５Ｂ，６５Ｃ，６５Ｄ，６５Ｅ）とを有する。なお、中央支持部６３が本発明の第１支持部の一例であり、サイド支持部６４が本発明の第２支持部の一例である。また、セットビス６５が本発明の調整部の一例である。
【００３４】
図４（Ａ）は、図２における切断線ＩＶ−ＩＶの断面構造を模式的に示す部分断面図である。図４（Ａ）に示されるように、中央支持部６３は、偏向ミラー３７Ａの長手方向の中央部を支持するものであり、中板５４の上面に取り付けられた下支持片６３Ａと蓋体５２の裏面に取り付けられた上支持片６３Ｂとを有する。また、サイド支持部６４は、偏向ミラー３７Ａの長手方向の中央部と同方向の両端部との間に定められた被支持部を支持するものである。具体的には、サイド支持部６４は、偏向ミラー３７Ａの両端から中央側へ所定距離Ｄだけ隔てられた部位を支持するものである。サイド支持部６４は、中板５４の上面に取り付けられた下支持片６４Ａと蓋体５２の裏面に取り付けられた上支持片６４Ｂとを有する。これら中央支持部６３及びサイド支持部６４は、いずれも、ポリゴンミラー３２によるビーム光と交差しないように、ビーム光の走査領域６８（図４の波線参照）や光路を避けるように走査領域６８や光路の外側に設けられている。
【００３５】
図４（Ｂ）は、図４（Ａ）における切断線ＩＶＢ−ＩＶＢの断面構造を模式的に示す部分断面図である。図４（Ｂ）に示されるように、サイド支持部６４の下支持片６４Ａは中板５４の上面に固定されており、上支持片６４Ｂは蓋体５２の裏面に固定されている。なお、図示されていないが、偏向ミラー３７Ａの長手方向の反対側の他方のサイド支持部６４も、同じように、下支持片６４Ａが中板５４の上面に固定されており、上支持片６４Ｂが蓋体５２の裏面に固定されている。偏向ミラー３７Ａは、その下端が下支持片６４Ａに形成された切欠溝７１に挿入されており、その上端が上支持片６４Ｂに形成された切欠溝７２に挿入されることによって、支持されている。このように支持されることにより、偏向ミラー３７Ａの上下端は、偏向ミラー３７Ａの反射面４８側とその反対側の裏面４９とを挟み持つようにして支持される。
【００３６】
図５は、図４（Ａ）における切断線Ｖ−Ｖの断面構造を模式的に示す部分断面図である。図５に示されるように、中央支持部６３の下支持片６３Ａは中板５４の上面に固定されており、上支持片６３Ｂは蓋体５２の裏面に固定されている。図示されるように、下支持片６３Ａ及び上支持片６３Ｂは、いずれも、偏向ミラー３７Ａの反射面４８側を支持しており、偏向ミラー３７Ａの裏面４９側を支持していない。
【００３７】
本実施形態では、中央支持部６３は、完全に固定されたサイド支持部６４とは異なり、偏向ミラー３７Ａがポリゴンミラー３２に近づく向き（図５（Ｂ）の矢印７４の向き）へ予め定められた設定値を超える力を受けた場合に中板５４の上面に沿って矢印７４の向きへスライドするように支持されている。具体的には、中板５４に図５の左右方向へ長いスライド溝７８が形成され、下支持片６３Ａにスライド溝７８に挿通されるガイド７９が形成されており、ガイド７９がスライド溝７８に挿入された状態で下支持片６３Ａが中板５４にスライド可能に支持されている。また、蓋体５２に図５の左右方向へ長いスライド溝８０が形成され、上支持片６３Ｂにスライド溝８０に挿通されるガイド８１が形成されており、ガイド８１がスライド溝８０に挿入された状態で上支持片６３Ｂが蓋体５２にスライド可能に支持されている。
【００３８】
また、中板５４の上面には、下支持片６３Ａよりもケース３９の側壁４５側に吸着部材８３（本発明の解除部の一例）が設けられており、蓋体５２の裏面には、上支持片６３Ｂよりも側壁４５側に吸着部材８４（本発明の解除部の一例）が設けられている。これらの吸着部材８３，８４は、いずれも、下支持片６３Ａおよび上支持片６３Ｂと接触した状態で各支持片６３Ａ，６３Ｂと所定の力で吸着するものである。吸着部材８３，８４は、各支持片６３Ａ，６３Ｂと吸着した状態で、偏向ミラー３７Ａの中央部が側壁４５側へ撓まされたときに偏向ミラー３７Ａと干渉しない位置に設けられている。吸着部材８３，８４の具体例としては、磁力吸引力を生じさせる磁石が考えられる。この場合は、下支持片６３Ａおよび上支持片６３Ｂが磁性体で形成されている。このような吸着部材８３，８４が設けられているため、矢印７４の向きへ予め定められた設定値未満の力を受けたとしても中央支持部６３はスライドせず、前記設定値を超える力を受けた場合にのみ中板５４の上面に沿って矢印７４の向きへスライドして、矢印７４の向きにおける支持が解除される。
【００３９】
図３に示されるように、５つのセットビス６５（６５Ａ，６５Ｂ，６５Ｃ，６５Ｄ，６５Ｅ）は、偏向ミラー３７Ａの裏面４９側に配置されており、それぞれが偏向ミラー３７Ａの長手方向に隔てられた状態で蓋体５２に取り付けられている。具体的には、偏向ミラー３７Ａの裏面４９において、中央支持部６３とその一方側に配置されたサイド支持部６４との中間位置（本発明の第１押圧点に相当）を押圧可能な位置にセットビス６５Ｂが設けられており、中央支持部６３とその他方側に配置されたサイド支持部６４との中間位置（本発明の第１押圧点に相当）を押圧可能な位置にセットビス６５Ｃが設けられている。また、偏向ミラー３７Ａの裏面４９において、偏向ミラー３７Ａの長手方向の一方の端部（本発明の第２押圧点に相当）を押圧可能な位置にセットビス６５Ａが設けられており、他方の端部（本発明の第２押圧点に相当）を押圧可能な位置にセットビス６５Ｄが設けられている。また、偏向ミラー３７Ａの裏面４９の長手方向の中央位置を押圧可能な位置にセットビス６５Ｅが設けられている。
【００４０】
図４（Ｂ）及び図５に示されるように、セットビス６５は、側壁４５側の蓋体５２の隅部に形成された傾斜壁５３に取り付けられている。具体的には、傾斜壁５３に、この傾斜壁５３を貫通するねじ穴８６が形成されており、このねじ穴８６に傾斜壁５３の外側からセットビス６５が螺着されている。セットビス６５は、傾斜壁５３から偏向ミラー３７Ａまでの距離よりも十分長いネジ長さに形成されている。このように構成されているため、傾斜壁５３の外側に露出されたセットビス６５の頂部が一方向（例えば右回転方向）へ回転されることによって、セットビス６５がねじ穴８６を内部側へねじ込まれる。そして、セットビス６５の先端が偏向ミラー３７Ａの裏面４９に到達して更にねじ込まれると、偏向ミラー３７Ａが裏面４９を反射面４８側へ貫く方向へセットビス６５によって押圧される。偏向ミラー３７Ａへの押圧力は、セットビス６５のねじ込み量を変えることで調整可能である。深くねじ込むと大きな押圧力が付与されて、偏向ミラー３７Ａが大きく湾曲する。また、浅くねじ込むと小さな押圧力が付与されて、偏向ミラー３７Ａが小さく湾曲する。セットビス６５が裏面４９を押圧した状態で、セットビス６５が他の方向（例えば左回転方向）へ回転されること、セットビス６５による押圧力が徐々に小さくなり、更に同方向へ回転されることによりセットビス６５の先端が裏面４９から離れて、偏向３７Ａへの押圧が解除される。
【００４１】
（実施形態の作用効果）
このように光走査装置３０に調整機構４０が設けられているため、感光体ドラム１１Ａの表面における走査線が湾曲していても、４つのセットビス６５を操作して偏向ミラー３７Ａを適宜の形状に湾曲させることにより、走査線湾曲を補正することができる。例えば、図６（Ａ）に示されるように、偏向ミラー３７Ａを反射面４８から見てすり鉢状に湾曲させるためには、セットビス６５Ａ及び６５Ｄを操作して裏面４９の両端部を押圧すればよい。また、図６（Ｂ）に示されるように、偏向ミラー３７Ａを反射面４８から緩やかな凸形状に湾曲させるためには、セットビス６５Ｂ及び６５Ｃを操作して裏面４９を中央側の２点で押圧すればよい。この場合、吸着部材８３による吸着力よりも大きい押圧力を付与して、中央支持部６３の各支持片６３Ａ，６３Ｂを吸着部材８３から離反させて矢印方向へスライドさせる必要がある。また、図６（Ｃ）に示されるように、偏向ミラー３７Ａを反射面４８から見て欧文字Ｗの字形状に沿って緩やかに起伏するＷ字曲線状に湾曲させるためには、セットビス６５Ａ、６５Ｄ、６５Ｅを操作して裏面４９を３点で押圧すればよい。また、図６（Ｄ）に示されるように、偏向ミラー３７Ａを反射面４８から見て欧文字Ｍの字形状に沿って緩やかに起伏するＭ字曲線状に湾曲させるためには、セットビス６５Ｂ及び６５Ｃを操作して裏面４９を中央側の２点で押圧すればよい。この場合、吸着部材８３による吸着力よりも小さい押圧力を付与して、中央支持部６３の各支持片６３Ａ，６３Ｂを吸着部材８３から離反させないようにする必要がある。もちろん、５つのセットビス６５の押圧力や押圧箇所を調整することにより、偏向ミラー３７Ａを主走査方向に様々な形状に湾曲させることができる。これにより、走査線のライン形状が多数の起伏を有する曲線であったとしても、その曲線に応じて偏向ミラー３７Ａを湾曲させて、走査線湾曲を補正することができる。
【００４２】
また、５つのセットビス６５を側壁４５側の一方向から操作することができるので、調整機構４０の操作及び調整が容易となる。
【００４３】
なお、上述の実施形態では、上層室５５及び下層室５６を有するケース３９のケース本体５１に複数の偏向ミラー３７Ａ，３７Ｂ，３７Ｃを設け、上方に配置された感光体ドラム１１Ａへビーム光を導く構成について例示したが、例えば、図７に示されるように、ケース３９のケース本体５１に１つの偏向ミラー３７Ａが設けられ、偏向ミラー３７Ａによって反射されたビーム光を下方に配置された感光体ドラム１１Ａへ導く構成にも本発明は適用可能である。
【産業上の利用可能性】
【００４４】
本発明は、感光体などの被走査面へ向けてビーム光を反射させる平面ミラーを調整することによって被走査面における走査線の湾曲を補正することが可能な光走査装置及びこれを備えた画像形成装置に利用可能である。
【符号の説明】
【００４５】
１０：プリンター
３０：光走査装置
３２：ポリゴンミラー
３３：モーター
３４：ドライバー基板
３５Ａ，３５Ｂ：ｆθレンズ
３７Ａ，３７Ｂ，３７Ｃ：偏向ミラー
３９：ケース
４０：調整機構
６３：中央支持部
６４：サイド支持部
８３，８４：吸着部材
【図２】
0005752025.tif 000002
【図３】
0005752025.tif 000003
【図４】
0005752025.tif 000004
【図５】
0005752025.tif 000005
【図６】
0005752025.tif 000006
【図７】
0005752025.tif 000007
【図８】
0005752025.tif 000008
【図１】
0005752025.tif 000009